(57)【特許請求の範囲】
【請求項１】
実行可能な複数種の機能を設定項目として表示し、前記設定項目の設定画面を表示する表示部と、
予め複数の前記設定項目の中から選択され、登録された前記設定項目の組み合わせであり、呼び出すことにより予め選択、登録された前記設定項目ごとに前記設定画面を順番に前記表示部に表示させるプログラムを記憶するとともに、前記プログラムに前記設定項目の前記設定画面を付加して前記表示部に表示させる付加表示を行ううえで、どの前記設定項目の前記設定画面を前記付加表示させるかを定めるための付加表示用データを記憶する記憶部と、
前記設定項目の選択及び前記設定画面に対する入力を受け付け、又、前記プログラムを作成し登録するとき、前記プログラムに含める前記設定項目を選択する入力を受け付け、登録された前記プログラムの呼び出し入力を受け付ける入力部と、
登録された前記プログラムが呼び出されたとき、前記プログラムに含まれる前記設定項目を確認し、前記付加表示用データに基づき、付加表示する前記設定項目である付加設定項目を定め、ワークフローの表示順での先頭の位置、最後尾の位置、又は、付加表示する前記付加設定項目と関連のある前記設定項目の後段の位置に、前記付加設定項目の前記設定画面を表示させて、前記付加設定項目の前記付加表示を前記表示部に行わせる処理部を有することを特徴とする表示入力装置。
【請求項２】
前記記憶部は、前記設定項目に対応づけて前記付加設定項目を予め定めたデータを、前記付加表示用データとして記憶し、
前記処理部は、前記付加表示用データに定められ、前記プログラムに含まれる前記設定項目に対応づけられた前記付加設定項目の前記付加表示を前記表示部に行わせることを特徴とする請求項１記載の表示入力装置。
【請求項３】
前記記憶部は、各前記設定項目の併用頻度を得るためのデータを前記付加表示用データとして記憶し、
前記処理部は、前記データを参照し、前記プログラムに含まれる前記設定項目について併用頻度が所定値を越える前記設定項目を前記付加設定項目と定め、定めた前記付加設定項目の前記付加表示を前記表示部に行わせることを特徴とする請求項１又は２に記載の表示入力装置。
【請求項４】
前記処理部は、呼び出された前記プログラムに前記付加設定項目と定めた前記設定項目が既に含まれているとき、前記表示部に、既に含まれる前記付加設定項目の前記付加表示を行わせないことを特徴とする請求項１乃至３のいずれか１項に記載の表示入力装置。
【請求項５】
前記入力部は、前記表示部に前記付加表示を行わせるか否かの設定入力を受け付け、
前記処理部は、前記付加表示を行う設定がなされていると、前記付加表示を前記表示部に行わせることを特徴とする請求項１乃至４のいずれか１項に記載の表示入力装置
【請求項６】
前記入力部は、前記プログラムで順に表示される設定画面のうち、どの順番の位置に前記付加設定項目の前記設定画面を表示するかを定める入力を受け付け、
前記処理部は、入力された順番の位置に前記付加設定項目の前記付加表示を前記表示部に行わせることを特徴とする請求項１乃至５のいずれか１項に記載の表示入力装置
【請求項７】
請求項１乃至６のいずれか１項に記載の表示入力装置を備えたことを特徴とする画像形成装置。
【発明の詳細な説明】
【技術分野】
【０００１】
本発明は、表示部と、タッチパネル等の入力部を有する表示入力装置、及び、これを備えた複写機、複合機、プリンタ、ＦＡＸ装置等の画像形成装置に関する。
【背景技術】
【０００２】
例えば、使用者は、所望する印刷物が得られるように、画像形成装置の表示入力装置（例えば、操作パネル）に対し各種の設定を行う。一方で、近年の画像形成装置は、多くの機能が搭載される。そのため、設定手順は複雑となりやすい。しかし、表示入力装置への設定入力は、使用者の使いやすさの観点から、簡易、円滑に行えることが望ましい。設定入力の簡易化のため、後処理装置の各項目の設定を容易にしようとする製本処理装置の一例が特許文献１に記載されている。
【０００３】
具体的に、特許文献１には、印刷済のシートに対する後処理機能の各項目の設定値を設定可能な製本処理装置であって、各項目の設定値を入力するための操作画面を表示する表示手段、操作画面を使用して各項目の設定値を入力する入力手段、第１の項目の設定値の入力の際、第１の項目及び後続の項目の推奨設定値を表示するように指示するための指示手段、指示手段による指示に応じ操作画面で入力されている第１の項目及び後続の項目の推奨設定値の一覧を表示手段に表示する手段、推奨設定値の一覧が表示されている状態で選択された推奨設定値及びそれ以前に操作画面で入力されている項目の設定値とを有効にして印刷を開始させる手段、推奨設定値の一覧が表示されている状態で選択された推奨設定値を有効にして第１の項目の操作画面に戻して入力手段による入力を受け付ける手段、を有する製本処理装置が記載されている。この構成により、ユーザが設定値の入力を試行錯誤して行う手間や、同じ設定を繰り返し入力するなどの手間を省き、また設定値の入力ミスも防ごうとする。（特許文献１：請求項１、段落［００１２］等参照）。
【先行技術文献】
【特許文献】
【０００４】
【特許文献１】特開２００９−１３０５３３号公報
【発明の概要】
【発明が解決しようとする課題】
【０００５】
例えば、よく用いる設定項目など、予め複数個の設定項目を選択し、その設定項目の組み合わせを１つのプログラムとして登録できるようにすれば、設定入力作業を簡易化することができる。例えば、プログラムを呼び出すと、予め選択された設定項目の設定画面が順番に表示される。これにより、数ある設定項目の中から所望の設定項目を選び出すという手間が省け、又、設定値の設定も一連のフロー内で自由に設定でき、柔軟な設定を行うことができる。
【０００６】
プログラムを呼び出すことで円滑な設定入力を行えるが、使用者が画像形成装置を利用するうえで、所望する結果（例えば、コピーの印刷物）を得るには、プログラムに含まれる設定項目だけでは足りない場合がある。そのため、プログラムを利用したとき、使用者が意図しない（所望しない）結果となる設定内容のまま、ジョブが実行され得る。又、使用者は、操作に習熟しているとは限らず、足りない設定項目が何か、及び、その設定手順がわからない場合もある。これらの理由から、プログラムを利用した際、例えば、不要な印刷物が出力されるなど、使用者が意図しない結果となり得るという問題が生ずる。例えば、意図しない印刷物の出力は、時間、資源、エネルギーの無駄となる。
【０００７】
ここで、特許文献１記載の製本処理装置は、推奨設定値を表示し、手間を省き、設定値の入力ミスを防ごうとする。しかし、画像形成装置（例えば、複合機）には、多種の機能が搭載されるので、使用者が全ての機能を把握している訳ではなく、表示された推奨設定値が、使用者の意図する結果に沿った設定値とは限らない。又、使用者が意図する結果を得るうえで、更に必要な設定項目までも推奨されない。そのため、特許文献１記載の製本処理装置のように、推奨設定値を表示し選択させるだけでは、使用者は、意図に沿わない印刷物が作成されるような設定のまま、印刷が実行され得る。従って、使用者が意図しない結果となり得るという問題を解消することはできない。
【０００８】
本発明は上記の問題点に鑑み、プログラムを呼び出し、設定を行い実行させたジョブの結果が、使用者が意図しない結果になることを、自動的、簡易に防ぐことを課題とする。
【課題を解決するための手段】
【０００９】
上記課題解決のため請求項１に係る表示入力装置は、実行可能な複数種の機能を設定項目として表示し、前記設定項目の設定画面を表示する表示部と、予め複数の前記設定項目の中から選択され、登録された前記設定項目の組み合わせであり、呼び出すことにより予め選択、登録された前記設定項目ごとに前記設定画面を順番に前記表示部に表示させるプログラムを記憶するとともに、前記プログラムに前記設定項目の前記設定画面を付加して前記表示部に表示させる付加表示を行ううえで、どの前記設定項目の前記設定画面を前記付加表示させるかを定めるための付加表示用データを記憶する記憶部と、前記設定項目の選択及び前記設定画面に対する入力を受け付け、又、前記プログラムを作成し登録するとき、前記プログラムに含める前記設定項目を選択する入力を受け付け、登録された前記プログラムの呼び出し入力を受け付ける入力部と、登録された前記プログラムが呼び出されたとき、前記プログラムに含まれる前記設定項目を確認し、前記付加表示用データに基づき、付加表示する前記設定項目である付加設定項目を定め、ワークフローの表示順での先頭の位置、最後尾の位置、又は、付加表示する前記付加設定項目と関連のある前記設定項目の後段の位置に、前記付加設定項目の前記設定画面を表示させて、前記付加設定項目の前記付加表示を前記表示部に行わせる処理部を有することとした。
【００１０】
この構成によれば、表示部は、登録されたプログラムが呼び出されたとき、付加表示用データに基づき、付加設定項目の付加表示を行う。これにより、プログラムに含まれる設定項目に関連する設定項目の設定画面を自動的に付加することができる。言い換えると、使用者が意図するジョブの実行結果を得られるように、関連性が深く、必要かもしれない設定画面を、自動的に付加して表示させることができる。従って、使用者が設定手順を熟知していなくても、簡易に設定漏れを防ぐことができ、使用者の意図するジョブの実行結果が得られやすくなる。その結果、プログラムの設定が行いやすくなり、表示入力装置の使いやすさ、便利さを向上させることができる。又、使用者の意図する結果となるように設定がなされるので、時間、資源、エネルギーの無駄を無くすことができる。
【００１１】
又、請求項２に係る発明は、請求項１の発明において、前記記憶部は、前記設定項目に対応づけて前記付加設定項目を予め定めたデータを、前記付加表示用データとして記憶し、前記処理部は、前記付加表示用データに定められ、前記プログラムに含まれる前記設定項目に対応づけられた前記付加設定項目の前記付加表示を前記表示部に行わせることとした。
【００１２】
この構成によれば、表示部は、付加表示用データに定められ、プログラムに含まれる設定項目に対応づけられた付加設定項目の付加表示を行う。これにより、プログラムに含まれる設定項目に対し、予め、関連性が深いとして対応づけられた設定項目の設定画面をプログラムに付加して自動的に表示させることができる。
【００１３】
又、請求項３に係る発明は、請求項１又は２の発明において、前記記憶部は、各前記設定項目の併用頻度を得るためのデータを前記付加表示用データとして記憶し、前記処理部は、前記データを参照し、前記プログラムに含まれる前記設定項目について併用頻度が所定値を越える前記設定項目を前記付加設定項目と定め、定めた前記付加設定項目の前記付加表示を前記表示部に行わせることとした。
【００１４】
この構成によれば、処理部は、データを参照し、プログラムに含まれる設定項目について、併用頻度が所定値を越える設定項目を付加設定項目と定め、定めた付加設定項目の付加表示を表示部に行わせる。これにより、プログラムに含まれる設定項目に関し、併用されやすい設定項目の設定画面をプログラムに付加して自動的に表示させることができる。
【００１５】
又、請求項４に係る発明は、請求項１乃至３の発明において、前記処理部は、呼び出された前記プログラムに前記付加設定項目と定めた前記設定項目が既に含まれているとき、前記表示部に、既に含まれる前記付加設定項目の前記付加表示を行わせないこととした。
【００１６】
この構成によれば、表示部は、呼び出されたプログラムに付加設定項目と定めた設定項目が既に含まれているとき、既に含まれる付加設定項目の付加表示を行わない。これにより、呼び出したプログラムで、同じ設定画面が重複して表示されることを防ぐことができる。従って、同じ設定項目に対する設定の繰り返しを防ぐことができ、入力の煩わしさを無くすことができる。
【００１７】
又、請求項５に係る発明は、請求項１乃至４の発明において、前記入力部は、前記表示部に前記付加表示を行わせるか否かの設定入力を受け付け、前記処理部は、前記付加表示を行う設定がなされていると、前記付加表示を前記表示部に行わせることとした。
【００１８】
この構成によれば、表示部は、付加表示を行う設定がなされていると付加表示を行う。これにより、使用者が必要と認める場合のみ付加表示が行われる。従って、使用者の意図に沿った表示を行うことができ、使用者にとっての使い勝手の良さを向上させることができる。
【００１９】
又、請求項６に係る発明は、請求項１乃至５の発明において、前記入力部は、前記プログラムで順に表示される設定画面のうち、どの順番の位置に前記付加設定項目の前記設定画面を表示するかを定める入力を受け付け、前記処理部は、入力された順番の位置に前記付加設定項目の前記付加表示を前記表示部に行わせることとした。
【００２０】
この構成によれば、表示部は、入力された順番の位置に付加設定項目の設定画面を表示する。これにより、プログラムの設定画面の表示順において、使用者の好きな位置に付加表示された設定画面を表示させることができる。従って、使用者の意図に沿った表示を行うことができる。
【００２１】
又、請求項７に係る画像形成装置は、請求項１乃至６のいずれか１項に記載の表示入力装置を含むこととした。
【００２２】
この構成によれば、画像形成装置は、表示入力装置を含む。これにより、画像形成装置での設定は、使用者の意図するジョブの実行結果を得やすいものとなり、プログラムの設定が行いやすいものとなる。従って、設定入力がしやすく、便利さを向上させた画像形成装置を提供することができる。
【発明の効果】
【００２３】
上述したように、本発明によれば、プログラムを呼び出し、設定を行い実行させたジョブの結果が、使用者が意図しない結果になることを、自動的、簡易に防ぐ表示入力装置、画像形成装置を提供することができる。
【図面の簡単な説明】
【００２４】
【図１】実施形態に係る複合機の一例を示す正面模型的断面図である。
【図２】実施形態に係る操作パネルの一例を示す平面図である。
【図３】実施形態に係る複合機のハードウェア構成の一例を示すブロック図である。
【図４】コピーに関する設定項目の選択画面の一例を示す説明図である。
【図５】送信に関する設定項目の選択画面の一例を示す説明図である。
【図６】コピーに関する設定画面の一例を示す説明図である。
【図７】作成されたワークフローの名称入力画面の一例を示す説明図である。
【図８】ワークフローを呼び出す際の表示形式を定めるため表示形式決定画面の一例を示す説明図である。
【図９】実施形態に係るワークフローを選ぶ際の呼出画面の一例を示す説明図である。
【図１０】ワークフローのウィザード形式での流れの一例を示す説明図である。
【図１１】ワークフローをメニュー形式で表示した際のメニュー画面の一例を示す説明図である。
【図１２】実施形態に係る操作パネルでのワークフローにおける付加表示の一例を示す説明図である。
【図１３】実施形態に係る操作パネルでの付加表示設定画面の一例を示す説明図である。
【図１４】実施形態に係る付加表示用データの一例を示す説明図である。
【図１５】実施形態に係る付加表示用データの一例を示す説明図である。
【図１６】実施形態に係る操作パネルでのワークフローの表示制御の一例を説明するためのフローチャートである。
【発明を実施するための形態】
【００２５】
以下、図１〜図１６を用い、本発明の実施形態を説明する。ここで、本発明は、各種表示入力装置に適用可能であるが、複合機１００（画像形成装置に相当）に含まれる操作パネル１（表示入力装置に相当）を例に挙げ説明する。但し、本実施の形態に記載されている構成、配置等の各要素は、発明の範囲を限定せず、単なる説明例にすぎない。
【００２６】
（画像形成装置の概略）
まず、図１を用い、本発明の実施形態に係る複合機１００の概略を説明する。図１は、本発明の実施形態に係る複合機１００の一例を示す正面模型的断面図である。
【００２７】
図１に示すように、複合機１００の正面前方には、複合機１００に関して各種設定を行うための操作パネル１が設けられる（詳細は後述）。又、図１に示すように、本実施形態の複合機１００は、上部に、画像読取部２と原稿搬送装置３が設けられ、内部に、給紙部４ａ、搬送路４ｂ、画像形成部５、中間転写部６ａ、定着部６ｂ、排出搬送部７ａ、両面搬送路７ｂ等を備える。
【００２８】
原稿搬送装置３は、読み取る原稿を載置する原稿トレイ３１を有する。そして、原稿搬送装置３は、原稿トレイ３１から原稿を１枚ずつ、自動的に連続して読取位置（送り読取用コンタクトガラス２１）に搬送する。又、原稿搬送装置３は、図１の紙面奥側を支点として画像読取部２に上下方向に開閉自在に取り付けられ、画像読取部２のコンタクトガラス（送り読取用コンタクトガラス２１及び載置読取用コンタクトガラス２２）を上方から押さえるカバーとして機能する。
【００２９】
次に、画像読取部２は、図１に示すように、上面に送り読取用コンタクトガラス２１と、書籍等の原稿を１枚ずつ読み取る際に原稿を載置する載置読取用コンタクトガラス２２が配される。画像読取部２内には、ランプ、ミラー、レンズ、イメージセンサ等（不図示）が配される。イメージセンサは、送り読取用コンタクトガラス２１を通過する原稿、あるいは、載置読取用コンタクトガラス２２に載置された原稿の反射光を元に、原稿を読み取る。そして、イメージセンサは、反射光を画像濃度に応じたアナログの電気信号に変換し、その後、量子化を行い、原稿の画像データが得られる。尚、本実施形態の画像読取部２は、カラーでも読み取り可能であり、白黒でも読み取り可能である。
【００３０】
複合機１００本体内の複数の給紙部４ａは、それぞれ、各サイズ（例えば、Ａ４、Ｂ４等のＡ型、Ｂ型用紙等）、各種用紙（例えば、コピー用紙、再生紙、厚紙、ＯＨＰシート等）を複数枚収容する。各給紙部４ａは、それぞれ回転駆動する給紙ローラ４１を備え、印刷時、１枚ずつ搬送路４ｂに用紙を送り込む。
【００３１】
搬送路４ｂは、給紙部４ａから画像形成部５まで装置内で用紙を搬送する通路である。そして、搬送路４ｂには、用紙の案内のためのガイド板や、用紙搬送時に回転駆動する搬送ローラ対４２（図２おいて、上方から４２Ａ、４２Ｂ、４２Ｃの計３つ）や、搬送される用紙を画像形成部５の手前で待機させ、形成されたトナー像の転写タイミングに合わせ用紙を送り出すレジストローラ対４３等が設けられる。
【００３２】
画像形成部５は、複数の画像形成ユニット５０（ブラック用の５０Ｂｋ、イエロー用の５０Ｙ、シアン用の５０Ｃ、マゼンタ用の５０Ｍ）と露光装置５１を含む。露光装置５１は、画像読取部２で読み取られた画像データや後述の記憶装置８２に記憶される画像データ等に基づき、レーザ光を点消灯しつつ出力し、各感光体ドラムを走査露光する。画像形成ユニット５０は、回転駆動可能に支持された感光体ドラムや、感光体ドラムの周囲に配設された帯電装置、現像装置、清掃装置等を備える。そして、各画像形成ユニット５０と露光装置５１によって、感光体ドラムの周面上にトナー像が形成される。
【００３３】
中間転写部６ａは、各画像形成ユニット５０からトナー像の１次転写を受け、シートに２次転写を行う。中間転写部６ａは、各１次転写ローラ６１Ｂｋ〜６１Ｍ、中間転写ベルト６２、駆動ローラ６３、複数の従動ローラ６４（６４Ａ〜６４Ｃ）、２次転写ローラ６５、ベルト清掃装置６６等で構成される。各１次転写ローラ６１Ｂｋ〜６１Ｍは対応する感光体ドラムと無端状の中間転写ベルト６２を挟み込む。各１次転写ローラ６１Ｂｋ〜６１Ｍには、転写用電圧が印加され、トナー像は中間転写ベルト６２に転写される。
【００３４】
中間転写ベルト６２は、駆動ローラ６３等に張架され、モータ等の駆動機構（不図示）に接続される駆動ローラ６３の回転駆動により周回する。又、駆動ローラ６３は、２次転写ローラ６５とで中間転写ベルト６２を挟み込む。各画像形成ユニット５０で形成されたトナー像（ブラック、イエロー、シアン、マゼンタの各色）は、順次、ずれなく重畳して中間転写ベルト６２に１次転写された後、所定の電圧を印加された２次転写ローラ６５により、シートに転写される。
【００３５】
定着部６ｂは、用紙に転写されたトナー像を定着させる。定着部６ｂは、主として、発熱体を内蔵する加熱ローラ６７とこれに圧接する加圧ローラ６８で構成される。そして、用紙が、加熱ローラ６７と加圧ローラ６８のニップを通過すると、トナーが溶融・加熱され、トナー像が用紙に定着する。定着部６ｂから排出された用紙は、排出トレイ７１方向に送られる。
【００３６】
排出搬送部７ａは、印刷済の用紙を排出トレイ７１方向又は両面搬送路７ｂ方向に用紙搬送方向を仕分ける。そして、排出搬送部７ａは、正回転方向に回転駆動して排出トレイ７１方向に送り出す、或いは、両面印刷のため逆回転しスイッチバックを行う排出ローラ対７２を有する。又、排出搬送部７ａは、用紙の搬送方向を切り替えるため、切替弁７３を有する。切替弁７３は回動する。切替弁７３は、両面搬送路７ｂを閉じて用紙を排出トレイ７１方向に導く位置を基本位置とし、両面印刷の際、回動してスイッチバックされた片面印刷済みの用紙を両面搬送路７ｂに導く。両面搬送路７ｂは、定着部６ｂの下流側とレジストローラ対４３の上流側とを結ぶ。両面搬送路７ｂには、両面印刷のため、回転駆動する複数の両面搬送ローラ対７４〜７６が設けられ、片面印刷済の用紙が搬送される。
【００３７】
（操作パネル１）
次に、図２を用いて、本発明の実施形態に係る操作パネル１の一例を説明する。図２は本発明の実施形態に係る操作パネル１の一例を示す平面図である。
【００３８】
操作パネル１は、図１に示すように、複合機１００の正面上方に設けられ、複合機１００２の設定や動作指示を与えるためのメニューやキーや複合機１００等の状態メッセージ等の各種画像、画面を表示する液晶表示部１１（表示部に相当）を有する。使用者は、液晶表示部１１に表示されたキーを押下して、複合機１００のコピーにおける各種設定を入力できる。
【００３９】
又、液晶表示部１１の上面にタッチパネル部１２（入力部に相当）が設けられ、タッチパネル部１２は、使用者が液晶表示部１１に押下した部分の位置、座標を検出するためのものである。このタッチパネル部１２を用いた検出座標と、液晶表示部１１に示される各種キーの位置、座標を比較し、使用者が押下して選択したキーが特定される。尚、タッチパネル部１２としては、抵抗膜方式、表面弾性波方式、赤外線方式、静電容量方式等、各方式のものを採用でき特に制限はない。
【００４０】
又、操作パネル１には、以下のようなハードとしてのキー（ボタン）が設けられる。例えば、数字入力用のテンキー部１３（入力部に相当）や、各種設定後、コピー等の処理開始指示用のスタートキー１４（入力部に相当）等が設けられる。又、コピー機能を利用する際に押下されるコピーキー１５（入力部に相当）、スキャナ機能、ＦＡＸ機能を利用する際に押下される送信キー１６（入力部に相当）等が設けられる。又、ワークフローの作成、登録やワークフローの呼び出しの際に押下されるワークフローキー１７（入力部に相当）も設けられる（詳細は後述）。このように、操作パネル１には、タッチパネル部１２や各種ハードキーが備えられ、複合機１００の各機能について、各種設定、モード選択等を行う入力部として機能する。
【００４１】
（複合機１００等のハードウェア構成）
次に、図３を用いて、本発明の実施形態に係る複合機１００等のハードウェア構成の一例を説明する。図３は、本発明の実施形態に係る複合機１００等のハードウェア構成の一例を示すブロック図である。
【００４２】
まず、複合機１００の本体側から説明する。複合機１００本体内には、本体制御部８が設けられる。本体制御部８は、例えば、操作パネル１、原稿搬送装置３、画像読取部２、給紙部４ａ、搬送路４ｂ、画像形成部５、定着部６ｂ、排出搬送部７ａ等と接続され、これらの制御を行う。
【００４３】
本体制御部８は、例えば、ＣＰＵ８１等の素子を含む。ＣＰＵ８１は記憶装置８２（記憶部に相当）に格納され、展開される制御プログラムに基づき演算等を行い、複合機１００の各部を制御する。尚、本体制御部８は、全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの制御部を本体制御部８としてまとめた形態を示し、説明する。
【００４４】
記憶装置８２は、本体制御部８と接続される。記憶装置８２は、ＲＯＭ、ＲＡＭ、ＨＤＤ等の不揮発性と揮発性の記憶装置８２を組み合わせて構成される。記憶装置８２は、複合機１００の制御用プログラム、制御用データ、設定データ、画像データ等の各種データを記憶できる。又、特に、本発明に関し、記憶装置８２は、作成したワークフロー（プログラムに相当）を記憶できる。尚、ワークフローとは、予め複数の設定項目の中から選択され、登録された設定項目の組み合わせであり、呼び出すことにより予め選択、登録された設定項目を設定するための画面を表示部に表示させるプログラムである。
【００４５】
そして、本体制御部８は、各種コネクタ、ソケットやＦＡＸモデム等を備えたインターフェイス部（以下、Ｉ／Ｆ部８３）と接続される。Ｉ／Ｆ部８３はネットワークや公衆回線等により複数の外部のコンピュータ２００（例えば、パーソナルコンピュータ）や相手方ＦＡＸ装置３００（図７では、いずれも便宜上１つのみ図示）と接続される。例えば、画像読取部２で得られた画像データを記憶装置８２に記憶させることや、外部のコンピュータ２００や相手方ＦＡＸ装置３００に送信することができる（スキャナ機能、ＦＡＸ機能）。又、外部のコンピュータ２００や相手方ＦＡＸ装置３００から送信され、複合機１００に入力される画像データに基づき印刷、ＦＡＸ送信等を行うこともできる（プリンタ機能、ＦＡＸ機能）。
【００４６】
又、例えば、本体制御部８には、画像読取部２で原稿を読み取って得られた画像データやＩ／Ｆ部８３を介して複合機１００に入力された画像データに対し、画像処理を施す画像処理部８４が設けられる。画像処理部８４が処理した画像データは、例えば、露光装置５１に送信され、感光体ドラムの走査・露光に用いられる。
【００４７】
又、本体制御部８は、操作パネル１になされた入力を認識し、使用者の設定にあわせてコピー等が行われるように複合機１００を制御する。本実施形態の操作パネル１は、表示制御部１０（処理部に相当）、メモリ１８（記憶部に相当）、ドライバ回路１９、液晶表示部１１、タッチパネル部１２を有する。表示制御部１０は、ＣＰＵやＩＣ等で構成され、液晶表示部１１の表示を制御し、タッチパネル部１２の出力を受け、液晶表示部１１で押下された座標を特定する。タッチパネル部１２の出力と座標の対応を示すテーブル等のデータは、メモリ１８に記憶される。表示制御部１０は、押下位置の座標と、各設定画面９の画像データを比較する等により、設定画面９上で選択された（押下された）キーを特定、認識する。
【００４８】
通常の操作において、複合機１００の各機能の設定項目を選択し、設定値を設定するには、液晶表示部１１における最上層の表示から、液晶表示部１１に表示されるキーの選択を繰り返す。そして、キー選択ごとに、表示制御部１０は、液晶表示部１１の表示を切り換えさせ、最終的に、選択、設定しようとする機能の設定値が設定される。この機能の選択、設定が行われたことを表示制御部１０は認識し、その内容を本体の本体制御部８に送信する。これにより、本体制御部８は、操作パネル１で選択、設定された機能を反映した動作を画像形成部５等の各部に行わせ、使用者の意思が、印刷等において反映される（例えば、濃度設定や拡大縮小など）。
【００４９】
そして、液晶表示部１１で表示される画面、画像の画像データは、例えば、操作パネル１内のメモリ１８が記憶する。従って、表示制御部１０は、設定項目の選択画面９Ａや各設定画面９中のキーが押下されるごとに、表示制御部１０は、次に表示すべき画面の画像データをメモリ１８から読み出す。又、特に、本発明に関し、メモリ１８は、作成したワークフロー（プログラムに相当）を記憶できる。
【００５０】
又、液晶表示部１１が表示する画面、画像の画像データは、例えば、本体側の記憶装置８２に記憶させてもよい。この場合、操作パネル１は、液晶表示部１１で表示を行うための画像データを、本体制御部８を介し記憶装置８２から受信する。この画像データを受けて、表示制御部１０は、液晶画面の表示を実際に制御するドライバ回路１９に指示を与える。尚、操作パネル１には、表示制御部１０、メモリ１８を設けず、本体制御部８の構成（ＣＰＵ８１や記憶装置８２）が、表示制御部１０やメモリ１８の機能を代用しても良い。
【００５１】
（ワークフローの作成、登録）
次に、図４〜図８を用いて、本発明の実施形態に係る複合機１００でのワークフローの作成、登録の概要を説明する。
【００５２】
まず、本実施形態の複合機１００では、多数にわたる設定可能な機能を有し、多様な設定項目がある。そして、液晶表示部１１は、複数の設定項目のうちから設定を行う設定項目を選び出すための選択画面９Ａを表示し、使用者は、印刷や送信で用いる設定項目（機能）を選ぶ（押下する）。例えば、液晶表示部１１は、各設定項目をキーとして表示する。又、液晶表示部１１は、選択された設定項目用の各設定画面９を表示する。使用者は各設定画面９に表示されるキーや、液晶表示部１１の周辺に配されたハードキー等を押下して、多種多様な機能選択、設定を行える。尚、設定項目及びその設定画面９の種類はあまりに多数にわたるため、便宜上、例として後述する場合を除き図示を避け、設定できる機能（設定項目）を以下に列挙するに留める。
【００５３】
例えば、複合機１００をコピーとして利用する場合（コピーキー１５の押下でコピーモードとなる）、複合機１００には、例えば、原稿の画質（文字、写真、文字＋写真等）、コピー濃度、用紙選択、倍率、エコプリント、とじしろ、センター移動、枠消し、両面／分割（片面→両面、両面→片面、見開き→両面等）、小冊子、表紙付け、原稿セット向き、原稿サイズ、ソート、仕分け、白黒反転、鏡像印刷、ページ付け、イメージ合成、集約（２ｉｎ１、４ｉｎ１等）、余白追加、連続読込一括印刷、試しコピー、再コピー、ステープル、パンチ、ポスター（拡大連射）、カラー設定（フルカラー、モノカラー、白黒等）等の設定項目が用意される。使用者は、液晶表示部１１に表示される各設定項目の設定画面９への入力により、設定項目内の設定値を設定する。
【００５４】
次に、複合機１００をスキャナとして利用する場合（送信キー１６の押下で複合機１００をスキャナとして利用できる）、例えば、複合機１００には、原稿サイズ、送信サイズ、解像度、原稿セット向き、保存ファイル形式、画質（濃度、カラーモード、圧縮率、写真や文字等の原稿の画質等）、分割、枠消し、ページ毎出力、連続読み込み、ファイル名入力、センター移動、送信先選択、送信先登録、パスワード、Ｅメール送信、相手方受信確認等の設定項目が用意される。使用者は、液晶表示部１１に表示される各設定項目の設定画面９への入力により、設定項目内の設定値を設定する。
【００５５】
次に、複合機１００をＦＡＸとして利用する場合（送信キー１６の押下で複合機１００をスキャナとして利用できる）、例えば、複合機１００には、自局情報登録（ＦＡＸ番号、ＩＤ等）、ダイレクト送信、メモリ送信、回転通信、一括送信、Ｆコード通信、用紙切れ時受信、短縮番号、原稿濃度、原稿サイズ、送信先選択、送信先登録、リダイヤル、両面送信、拡大・縮小送信、予約送信、割込送信、時刻指定通信、ポーリング通信、中継送信、受信画像データの転送、暗号通信、通信結果通知、用紙サイズ確認、集約（２ｉｎ１等）、両面受信等の設定項目が容易される。使用者は、液晶表示部１１に表示される各設定項目の設定画面９への入力により、設定項目内の設定値を設定する。
【００５６】
ここで、例えば、ポスター作成のため、濃度設定やポスターの設定項目が組み合わされる場合や、用紙の消費を抑えるため、集約印刷と両面印刷が組み合わせて設定される場合や、画像読取部２で読み取って得られた画像データの送信方法と送信先など、使用者が複合機１００を利用する上で、頻繁に組み合わせられる設定項目がある。ところが、複合機１００の有する設定項目（機能）は多岐にわたり、複合機１００を利用するたび、同様の設定を行うことは煩わしく、利便性が悪い。
【００５７】
そこで、本実施形態の複合機１００では、予め頻繁に用いる設定項目の組み合わせを予め選択、作成し、設定項目の組み合わせをワークフロー（プログラムに相当）として記憶させることができる（詳細は後述）。そして、使用者は、記憶装置８２やメモリ１８に記憶されたワークフロー（予め選択した設定項目や表示順や表示形式を示すデータを含むプログラム）を呼び出すと、予め選択した設定項目について設定するための画面が液晶表示部１１に表示される。
【００５８】
次に、操作パネル１でのワークフローの作成、登録の一例を具体的に説明する。例えば、ワークフローキー１７が押下されると、表示制御部１０は、ワークフローを呼び出すための呼出画面９Ｄ（図９参照）を液晶表示部１１に表示させる。呼出画面９Ｄで、登録／編集キーＫ２９が押下されると、表示制御部１０は、ワークフローの新規登録が開始され、タッチパネル部１２等を介して、ワークフローを作成、登録するための入力を受け付ける。操作パネル１の表示制御部１０は、作成するワークフローに含める設定項目を選択する入力を受け付け、認識する。
【００５９】
［設定項目の選択］
ここで、図４及び図５を用いて、ワークフローに含める設定項目の選択の一例を説明する。図４は、コピーに関する設定項目の選択画面９Ａの一例を示す説明図である。図５は、送信に関する設定項目の選択画面９Ａの一例を示す説明図である。
【００６０】
まず、図４を用いて、コピーに関するワークフローを作成する場合の設定項目の選択を説明する。例えば、ワークフロー作成の際、コピーキー１５が押下されると、表示制御部１０は、図４に示すようなコピーの機能に関する設定項目の選択画面９Ａを液晶表示部１１に表示させる。液晶表示部１１は、選択画面９Ａ内に、原稿／用紙／仕上げタブＴＢ１、画質タブＴＢ２、レイアウト／編集タブＴＢ３、応用／その他タブＴＢ４といった複数のタブを表示する。尚、タブは、更に複数種設けられてもよい。
【００６１】
例えば、画質タブＴＢ２が押下されると、表示制御部１０は、図４（ａ）に示すように、コピーにおける画質に関する設定項目を液晶表示部１１に表示させる。設定項目は、キーとして配される。例えば、画質タブＴＢ２を押下すると、印刷物の濃度を手動で調整するための濃度調整キーＫ１や、原稿の画質（文字のみ、写真のみ、写真＋文字等）を設定するための画質選択キーＫ２や、画質は多少荒くなるもののトナーを節約して印刷するか否かを設定するためのエコプリントキーＫ３や、コピー（印刷）において用いる色（フルカラー、白黒、単色カラー、２色カラーなど）を設定するためのカラー設定キーＫ４等が配される。尚、他の設定項目のキーにも機能が割り振られるが、説明は割愛する。
【００６２】
又、例えば、レイアウト／編集タブＴＢ３が押下されると、表示制御部１０は、図４（ｂ）に示すように、コピーでのページや画像のレイアウトや編集に関する設定項目を液晶表示部１１に表示させる。そして、この選択画面９Ａでも、各設定項目はキーとして配される。例えば、レイアウト／編集タブＴＢ３を押下すると、拡大や縮小等、画像の倍率を設定するための拡大／縮小キーＫ５や、両面印刷や、両面印刷済みの原稿や見開き印刷された原稿の各ページの分割印刷を設定するための両面／分割キーＫ６や、複数枚の原稿を１ページに収める複写に関し設定するための集約キーＫ７や、複合機１００が利用できる最大サイズの用紙（例えば、Ａ３サイズ）よりも原稿を拡大し、拡大後の画像を複数の用紙に分割してコピーするポスター印刷に関し設定するためのポスターキーＫ８等が配される（他の設定項目のキーにも機能が割り振られるが説明は割愛）。
【００６３】
又、図示は省略するが、原稿／用紙／仕上げタブＴＢ１が押下されると、表示制御部１０は、原稿／用紙／仕上げに関する設定項目（原稿セット向きやステープル等）に対応するキーを液晶表示部１１に表示させる。又、応用／その他タブＴＢ４が押下されると、液晶表示部１１は、コピーに関する応用的な設定項目（例えば、鏡像印刷や白黒反転印刷等）をキーとして表示する。
【００６４】
次に、図５を用いて、送信に関するワークフローを作成する場合の設定項目の選択を説明する。図５に示すように、ワークフロー作成の際、送信キー１６が押下されると、表示制御部１０はＦＡＸやスキャン等、原稿の読み取りにより得られた画像データの送信の機能に関する設定項目の選択画面９Ａ（図５参照）を液晶表示部１１に表示させる。
【００６５】
例えば、図５に示すように、液晶表示部１１は、送信用の選択画面９Ａ内に、宛先タブＴＢ５、原稿／送信形式タブＴＢ６、カラー／画質タブＴＢ７、応用／その他タブＴＢ８といった複数のタブを表示する。尚、タブは、更に複数種設けられてもよい。
【００６６】
例えば、送信に関しても各設定項目は、キーとして配される。図５に示すように、原稿／送信形式タブＴＢ６が押下されると、読み取る原稿や画像データの送信形式に関する設定項目が表示される。そして、液晶表示部１１は、読み取る原稿のサイズを設定するための原稿サイズキーＫ９や、送信する画像データのサイズを設定するための送信サイズキーＫ１０等が配される（他の設定項目のキーにも設定内容が割り振られるが、説明は割愛）。
【００６７】
これら選択画面９Ａで設定項目の設定が行われると、表示制御部１０は選択された設定項目内の設定値を設定するために用意された設定画面９を液晶表示部１１に表示させる。そして、表示制御部１０は設定画面９で使用者によって設定された設定値（押下された設定値を示すキー）をワークフローでのデフォルトの設定値として把握する。
【００６８】
［設定値の設定］
ここで、図６を用いて、ワークフローに含める設定項目の設定値の設定の一例を説明する。図６は、コピーに関する設定画面９の一例を示す説明図である。
【００６９】
例えば、図６は、濃度調整の設定項目の設定画面９１（図６（ａ））と、ポスター（拡大連写）の設定項目の設定画面９２（図６（ｂ））と、カラー設定の設定項目の設定画面９３（図６（ｃ））を示している。このように、各設定項目に対し、設定画面９が用意される（他の設定項目については、図示を省略）。
【００７０】
例えば、図６（ａ）は、例えば、濃度調整キーＫ１を押下した際に（濃度調整の設定項目を選択した際に）表示される設定画面９１の一例である。濃度調整の設定画面９１では、液晶表示部１１は、読み取った原稿の画像データに基づき濃度を自動的に定めるための自動キーＫ１１を表示する。又、液晶表示部１１は、手動で印刷物の仕上がりの濃度を設定するための０の数字や、プラス、マイナスの符号と数字が付された濃度段階キーＫ１２を表示する。尚、数字の大きな濃度段階キーＫ１２を押すほど、印刷物の濃度は濃くなる。
【００７１】
又、図６（ｂ）は、例えば、ポスターキーＫ８を押下した際に（ポスター（拡大連写）の設定項目を選択した際に）表示される設定画面９２の一例である。液晶表示部１１は、ポスターの設定画面９２では、仕上がりサイズ（複数ページを合体させたときのサイズ）を定めるためのＡ０キーＫ１３（Ａ０用紙に対応）、Ａ１キーＫ１４（Ａ１用紙に対応）、Ａ２キーＫ１５（Ａ２用紙に対応）を表示する。又、液晶表示部１１は、拡大の倍率を定めるためのキー等も表示する。又、液晶表示部１１は、拡大した画像を何枚に分けて印刷するかを定めるための２枚キーＫ１６（２枚の用紙に分割）、４枚キーＫ１７（４枚の用紙に分割）、８枚キーＫ１８（８枚の用紙に分割）も表示する。
【００７２】
又、図６（ｃ）は、例えば、カラー設定キーＫ４を押下した際に（カラー設定の設定項目を選択した際に）表示される設定画面９３の一例である。液晶表示部１１は、カラー設定の設定画面９では、画像読取部で原稿を読み取って得られた画像データにおける配色に基づき、印刷に用いる色を自動で定める際に押下される自動キーＫ１９、全色のトナーを用いて印刷する際に押下されるフルカラーキーＫ２０、ブラックのトナーのみを用いて白黒印刷する際に押下される白黒キーＫ２１を表示する。又、本実施形態の複合機１００では、１色、又は、２色のトナーのみを用いて印刷でき、単色カラー又は２色カラーでの印刷を行う際に押下されるキーを複数表示する。
【００７３】
表示制御部１０は、例えば、各設定画面９で押下されたキーを白黒反転させて表示させる（以下、同様）。そして、表示制御部１０は、各設定画面９（９１〜９３）に、例えば、ＯＫキーＫ２２とキャンセルキーＫ２３を表示させる。ＯＫキーＫ２２が押下されたとき、設定されている（押下されている）設定値が、ワークフローでのデフォルトの設定値とされる（例えば、図６（ａ）では、最大濃度での印刷がデフォルトの設定値）。
【００７４】
このように、使用者は、ワークフローに含めようとする設定項目の選択とデフォルトの設定値の設定を適宜行う。そして、表示制御部１０はワークフローに含める設定項目の選択を終了する旨の入力が行われたかを確認する。例えば、ワークフローに含める設定項目の選択を終了する旨の入力は、複数種とできる。例えば、スタートキー１４の押下やワークフローキー１７の押下等、任意に定めることができる。又、ＯＫキーＫ２２が押下されるごとに、設定項目の選択を終了してよいかを使用者に確認する確認の画面を表示させても良い。
【００７５】
もし、ワークフローに含める設定項目の選択が終了すれば、表示制御部１０は、図７に示すようなワークフローの名称入力画面９Ｂを表示させる。図７は、作成されたワークフローの名称入力画面９Ｂの一例を示す説明図である。
【００７６】
例えば、使用者は、名称入力画面９Ｂ内のソフトキーボードを入力し、かな、漢字、アルファベット等でワークフローの名称を付ける入力を行う。表示制御部１０は、使用者によるソフトキーボードへの入力に従って、名称表示欄９Ｂ１の表示を変化させる。そして、例えば、表示制御部１０は、次キーＫ２４が押下されたときの名称表示欄９Ｂ１に示された内容を作成中のワークフローに付ける名称と把握する。
【００７７】
更に、表示制御部１０は、作成したワークフローが呼び出されたときの表示形式を定めるための表示形式決定画面９Ｃを表示し、使用者は、ワークフローの表示形式を選択する。例えば、表示制御部１０は、図８に示すような表示形式決定画面９Ｃを表示させる。図８は、ワークフローを呼び出す際の表示形式を定めるため表示形式決定画面９Ｃの一例を示す説明図である。
【００７８】
例えば、使用者は、表示形式決定画面９Ｃで、メニュー形式キーＫ２５（メニュー形式）、ショートカット方式キーＫ２６（一覧表示形式）、ウィザード方式キーＫ２７（ウィザード形式）の何れかのキーを押下する。表示制御部１０は、次キーＫ２８が押下されたときに選ばれたキーに対応する表示形式を作成中のワークフローの表示形式と把握する。
【００７９】
そして、次キーＫ２８が押下されると、記憶装置８２又はメモリ１８は、作成されたワークフローを記憶する。例えば、表示制御部１０や本体制御部８は、ワークフローの名称、表示形式、含まれる設定項目、設定項目の表示順（ワークフロー作成時の設定項目の選択順と一致）、設定項目内のデフォルトの設定値を、記憶装置８２やメモリ１８に記憶させる。この後、操作パネル１は、ワークフロー登録モードから通常の入力モードに復帰する。
【００８０】
（ワークフローの呼出、利用）
次に、図９〜図１１を用いて、本発明の実施形態に係るワークフローの概要とワークフローの呼出、利用の一例を説明する。図９は、本発明の実施形態に係るワークフローを選ぶ際の呼出画面９Ｄの一例を示す説明図である。図１０は、ワークフローをウィザード形式で表示した際の流れの一例を示す説明図である。図１１は、ワークフローをメニュー形式で表示した際のメニュー画面９Ｅの一例を示す説明図である。
【００８１】
例えば、使用者は、予め登録されたワークフローを呼び出す場合、ワークフローキー１７（図２参照）を押下する。そうすると、図９に示すように、予め登録されたワークフローのうち、用いる（呼び出す）ワークフローを選択するための呼出画面９Ｄが液晶表示部１１に表示される。例えば、図９では、「きれいにコピー」、「ポスター印刷」、「かんたんＦＡＸ」、「かんたんメール」、「ポスター印刷」、「自分のフォルダへ保存」と名付けられたワークフローが表示される例を示している。そして、各ワークフローを示す画像を押下すると、押下されたワークフローが記憶装置８２やメモリ１８から呼び出され、液晶表示部１１にワークフローによる設定のための画面が表示される。
【００８２】
尚、呼出画面９Ｄの下方には、新たにワークフローを作成する場合や既に登録されたワークフローの編集を行う際に押下される登録／編集キーＫ２９が配される。又、ワークフローの呼び出しを止めるためのキャンセルキーＫ３０も配される。又、図９で示すように１画面中に表示できるワークフローには限りがある。そこで、次キーＫ３１を押下すると、次ページの呼出画面９Ｄに切り替わり、図９とは異なるワークフローを示す画像が表示される。又、前キーＫ３２を押下すると、前ページの呼出画面９Ｄに切り替えられる。
【００８３】
次に、ワークフローを呼び出した際の表示、設定を説明する。尚、ワークフローを呼び出した際、設定のための画面の表示形式としては、ウィザード形式、メニュー形式、一覧表示形式が用意される。いずれの表示形式で表示するかは、上述したように、ワークフローの登録時に設定することができる。そこで、表示形式ごとにワークフローの呼び出した際の概要を説明する。
【００８４】
［ウィザード形式］
まず、図１０を用いて、ワークフローでのウィザード形式を説明する。例えば、図１０は、図９における「ポスター印刷」のワークフローを呼び出した際のウィザード形式でのワークフローの一例を示している。尚、図１０では、後述の付加表示を行わない設定がなされている場合の例を説明する。
【００８５】
「ポスター印刷」のワークフローは、「濃度調整」（画質タブＴＢ２に含まれていた設定項目、図４（ａ）参照）と「ポスター」（レイアウト／編集タブＴＢ３に含まれていた設定項目、図４（ｂ）参照）の設定項目が含まれるように作成、登録されている。又、ワークフローは、「濃度調整」の設定画面９１→「ポスター」の設定画面９２の順に、各設定項目の設定画面９を表示するように作成、登録されている。尚、図１０での白抜矢印は、表示順を示す。尚、ワークフロー呼出時の各設定画面９は、ワークフロー登録時や、通常の設定時と同様である。
【００８６】
各設定画面９では、前キーＫ３３と次キーＫ３４がそれぞれ配される。前キーＫ３３が押下されると、液晶表示部１１は、１つ前の設定項目の設定画面９を表示する。又、次キーＫ３４が押下されると、液晶表示部１１は１つ先の設定項目の設定画面９を表示する。使用者は、各設定画面９内に配された設定用のキーを押下することで、各設定項目での設定値を設定することができる。
【００８７】
尚、ワークフローの作成、登録時に、設定項目についてデフォルトの設定値が定められていれば、デフォルト値は、ワークフローの一部として記憶装置８２に記憶される。例えば、ポスターでは仕上がりサイズ「Ａ２」をデフォルト値とするようにワークフローが作成されたとき、初めて「ポスター」の設定画面９２が表示されると、図１０に示すように、Ａ２キーＫ１５は、既に選択されている状態で液晶表示部１１に表示される。
【００８８】
そして、ワークフローとして予め登録された設定項目の設定が全て完了すると（例えば、ポスターの設定画面９２で次キーＫ３４を押下すると）、設定確認一覧９４が表示される。この設定確認一覧９４には、ワークフローに含まれる各設定項目と、各設定項目の設定値が表示される。又、設定確認一覧９４では実行開始キーＫ３５が表示される。そして、実行開始キーＫ３５が押下されると、表示制御部１０は、設定内容を本体制御部８に送信する。本体制御部８は、設定確認一覧９４に示される内容を把握し、把握した内容で複合機１００を制御し、ジョブが実行される。
【００８９】
［メニュー形式］
次に、図１１を用いて、ワークフローでのメニュー形式を説明する。例えば、図１１は、図９における「ポスター印刷」のワークフローを呼び出した際のメニュー形式でのメニュー画面９Ｅの一例を示している。
【００９０】
図１１に示すように、メニュー形式では、例えば、「ポスター印刷」のワークフローを呼び出すと「濃度調整」のメニュー画像ｉ１、「ポスター」のメニュー画像ｉ２、が表示される。従って、選択されるワークフローによって、メニュー画面９Ｅに表示されるメニュー画像が異なる。そして、それぞれのメニュー画像には、デフォルトの設定値も表示される。このように、メニュー形式では、ワークフローに含まれる設定項目がメニューとして表示される。
【００９１】
使用者は、設定値を変更したい設定項目のメニュー画像を押下する。これにより、液晶表示部１１の表示は、例えば、図１０に示したような、設定項目ごとの設定画面９に切り替わる。そして、設定画面９での設定が完了すると、液晶表示部１１の表示は、図１１に示すメニュー画面９Ｅに再び切り替わる。
【００９２】
又、メニュー画面９Ｅには、ＯＫキーＫ３３とキャンセルキーＫ３７が配される。ＯＫキーＫ３３が押下されると、図１０に示した設定確認一覧９４が液晶表示部１１に表示される。設定確認一覧９４の詳細は、図１０を用いて説明した場合と同様でよく、説明を省略する。一方、キャンセルキーＫ３７が押下されると、ワークフローを用いた設定がキャンセルされる。
【００９３】
［一覧表示形式］
次に、図１０を用いて、ワークフローでの一覧表示形式を説明する。この一覧表示形式では、図９の呼出画面９Ｄで使用するワークフローを選択すると、いきなり、図１０に示した設定確認一覧９４が液晶表示部１１に表示される。設定確認一覧９４の詳細は、図１０を用いてウィザード形式で説明した場合と同様でよいので、説明を省略する。
【００９４】
このように、表示入力装置（操作パネル１）の表示部（液晶表示部１１）は、プログラムが呼び出された際、プログラムに含められた各設定項目を対話型で順次表示するウィザード形式、プログラムに含められた各設定項目を並列させて一覧表示する一覧表示形式、又は、プログラムに含められた各設定項目を示す画像を（一画面に）表示するメニュー形式表示の何れかの表示形式で表示する。
【００９５】
（付加表示）
次に、図１２を用いて、本発明の実施形態に係る操作パネル１でのワークフローにおける付加表示の一例を説明する。図１２は、本発明の実施形態に係る操作パネル１でのワークフローにおける付加表示の一例を示す説明図である。
【００９６】
まず、本実施形態の操作パネル１では、呼び出されたプログラムに含まれる設定項目と関連性の深い設定項目が、プログラムに含まれていないとき、自動的に関連性の深い設定項目の設定画面９を付加して表示する付加表示を行わせることができる。これにより、ジョブの実行結果が、使用者の意図しないものとなることを防ぐ。
【００９７】
そこで、付加表示の必要性を述べる。上述したように、使用者は、プログラムとしてのワークフローを作成し、登録できる。しかし、使用者は、ワークフローに含めた設定項目と関連性の深い設定項目をワークフローに含めないでワークフローを登録してしまう場合がある。
【００９８】
関連性が深ければ、使用者が所望するジョブの実行結果を得るうえで、ワークフローに含まれる設定項目と共に設定すべき設定項目となる場合が多い。例えば、ポスターの機能（設定項目）は、原稿を拡大して印刷し、大型の印刷物を得る場合に用いられる。ポスターの機能を用いての印刷は、例えば、印刷物を広告的に展示する場合や、細かな画像が記された原稿を全体的に拡大する場合に行われる。そうすると、「ポスター」の設定項目は印刷物における画像の画質と関わりが深く、例えば、「濃度調整」の設定項目や、「カラー設定」の設定項目と関連性が深いといえる。
【００９９】
しかし、例えば、上記の「ポスター印刷」のワークフローには、「カラー設定」の設定項目は含まれない。そのため、上記の「ポスター印刷」のワークフローを実行し、コピージョブが行われると、カラー設定に関しては設定していないので、使用者にとって意図しない結果（印刷物）となり得る。このような印刷物は無駄となる。又、使用者は設定をやり直しすることになり、煩雑である。
【０１００】
次に、図１２を用いて、具体的に、ワークフローに対する設定画面９の付加表示の一例を説明する。図１２は、上述の「ポスター印刷」のワークフローを呼び出し、付加表示が行われたときの設定画面９の遷移を示す。尚、ウィザード形式で、ワークフローにおける最後で付加された設定画面９が表示される例を説明する。言い換えると、ウィザード形式で設定確認一覧９４の１つ前の位置に付加された設定画面９３を表示する例を説明する。
【０１０１】
図１０を用いて説明したように、「ポスター印刷」のワークフローが読み出されると、次キーＫ３４が押されるごとに、液晶表示部１１は、濃度調整の設定項目の設定画面９１に続き、ポスターの設定項目の設定画面９２を表示する。
【０１０２】
そして、「ポスター印刷」のワークフローでは、濃度調整とポスターの設定項目しか含まれないので、ポスターの設定項目の設定画面９２で次キーＫ３４が押されると、液晶表示部１１は、設定確認一覧９４を表示するはずである。
【０１０３】
しかし、付加表示をする設定が行われると、ポスターの設定項目に関連性の深いカラー設定の設定項目の設定画面９３がワークフローに自動的に付加される。ここで、説明において、ワークフローで設定画面９が付加表示される設定項目を「付加設定項目」と称する。例えば、液晶表示部１１は、ポスターの設定項目の設定画面９２と設定確認一覧９４の間に、付加表示されるカラー設定の設定画面９３を表示する。これにより、使用者は、所望するジョブの実行結果が得られるような設定を的確に行える。従って、ジョブの実行結果が、使用者にとって意図しないものとなることを減らすことができる。
【０１０４】
（付加表示に関する設定）
次に、図１３〜図１５に基づき、本発明の実施形態に係る操作パネル１での付加表示に関する設定の一例を説明する。図１３は、本発明の実施形態に係る操作パネル１での付加表示設定画面９５の一例を示す説明図である。図１４、図１５は、本発明の実施形態に係る付加表示用データＤの一例を示す説明図である。
【０１０５】
まず、図１３を用いて、付加表示に関する設定を説明する。図１３に示すように、使用者は、付加表示設定画面９５で付加表示に関する設定を行える。尚、表示制御部１０は所定の操作がタッチパネル部１２等に行われると、付加表示設定画面９５を液晶表示部１１に表示させる。
【０１０６】
表示制御部１０は、この付加表示設定画面９５に、有りキーＫ３８と無しキーＫ３９を液晶表示部１１に表示させる。使用者は、付加表示を行う場合、有りキーＫ３８を押下する。一方、付加表示を行わない場合は、無しキーＫ３９を押下する。これにより、使用者は、付加表示を行うか否かを設定することができる。
【０１０７】
又、表示制御部１０は、この付加表示設定画面９５に、付加表示する設定画面９の位置を定めるため、先頭キーＫ４０と、最後尾キーＫ４１と、関連機能後段キーＫ４２を液晶表示部１１に表示させる。ワークフローでは、設定項目の設定画面９の表示順は定まっている。そこで、先頭キーＫ４０と、最後尾キーＫ４１と、関連機能後段キーＫ４２を用いて、付加表示させる設定画面９の位置（順番）を定める。
【０１０８】
使用者は、付加表示させる設定画面９をワークフローの表示順において、先頭の位置で表示させる場合、先頭キーＫ４０を押下する。これにより、付加表示させる設定画面９は、ワークフロー呼出直後に表示される。又、使用者は、付加表示させる設定画面９をワークフローの表示順において、最後尾の位置で表示させる場合、最後尾キーＫ４１を押下する。これにより、付加表示させる設定画面９は、設定確認一覧９４の直前に表示される。又、使用者は、付加表示させる設定画面９をワークフローの表示順において、付加表示させる設定項目と関連の深い設定項目の後段の位置で表示させる場合、関連機能後段キーＫ４２を押下する。これにより、表示制御部１０は、付加表示させる設定画面９を、ワークフローに含まれる設定項目のうち、関連性が深い設定項目の後段の位置で、液晶表示部１１に表示させる。
【０１０９】
又、表示制御部１０は、付加表示を行うべき設定項目（付加設定項目）があるかないかを確認し、どのような設定項目の設定画面９を表示させるかの基準を設定するための２つのチェックボックスＣを表示する。尚、有りキーＫ３８が押下されているとき、２つのチェックボックスＣのうち、いずれかは必ずチェックされる。例えば、有りキーＫ３８が押下されると、チェックボックスＣ１に自動的にチェックが入るようにしてもよい。
【０１１０】
まず、本実施形態の操作パネル１、複合機１００では、ワークフローに含まれる設定項目に対して付加設定項目があるかないか、ある場合、どのような設定項目の設定画面９を表示させるかの判断は、表示制御部１０が行う。尚、本体制御部８が行ってもよい。
【０１１１】
表示制御部１０は、メモリ１８に記憶される付加表示用データＤを用いて、ワークフローに含まれる設定項目に対して表示すべき付加設定項目があるかないか、及び、どのような設定項目の設定画面９を表示させるかの判断を行う。例えば、図１４に示すような形態で付加表示用データＤが定められる。
【０１１２】
尚、本実施形態の操作パネル１のメモリ１８（本体の記憶装置８２内でもよい）は、２種類の付加表示用データＤを記憶できる。そこで、図１４に示す付加用表示データに「Ｄ１」と符号を付す。又、操作パネル１で設定可能な設定項目は多数に及ぶので、図１４に示す付加表示用データＤ１では、４つの設定項目以外の設定項目は省略している。
【０１１３】
図１４に示す付加表示用データＤ１は、予め定められたものであり、ワークフローに含まれる設定項目に対し、付加設定項目を対応づけるものである。尚、付加表示用データＤ１は、例えば、複合機１００の製造者によって用意されるが、使用者が操作パネル１に入力を行うことにより、書き換えられてもよい。
【０１１４】
そして、表示制御部１０は、ワークフローに含まれる各設定項目を把握し、付加表示用データＤ１を参照して、ワークフローに含まれる各設定項目に対応づけられた付加設定項目が存在するかを確認する。各設定項目に対応づけられた付加設定項目が存在するとき、表示制御部１０は、対応づけられた付加設定項目の設定画面９を液晶表示部１１に表示させる。
【０１１５】
例えば、図１４の付加表示用データＤ１では、ポスターの設定項目に対し、カラー設定が付加設定項目として対応づけられる。又、濃度調整の設定項目のように、設定項目に対し、必ずしも対応づけられた付加設定項目が設けられる訳ではない。そして、図１４に示すような付加表示用データＤ１の場合、ワークフローにポスターの設定項目が含まれていれば、カラー設定の設定画面９がワークフローに付加され、表示される（図１２参照）。
【０１１６】
このような、付加表示用データＤ１に基づきワークフローに含まれる設定項目に対応づけて予め定められた付加設定項目の付加表示を行いたいとき、使用者は、付加表示設定画面９５のうち、上方のチェックボックスＣ１を押下してチェックを入れる。これにより、関連性が深いと予め定められた設定項目が付加表示される。
【０１１７】
又、メモリ１８は、別種の付加表示用データＤを記憶できる。そこで、図１５に示す付加用表示データを付加用表示データＤ２と符号を付す。又、図１５に示す付加表示用データＤ２では、操作パネル１で設定可能な設定項目は多数に及ぶので、４つの設定項目以外の設定項目は省略している。
【０１１８】
図１５に示す付加表示用データＤ２は、使用者の操作パネル１における設定でなされた履歴を基に、設定項目間での併用頻度を記録したものである。そのため、表示制御部１０は、メモリ１８内の付加表示用データＤ２を、例えばジョブ実行ごとに更新する。
【０１１９】
例えば、図１５に示すように、頻度を求めるため、付加表示用データＤ２は、それぞれの設定項目について、設定項目が利用された総回数を含む。例えば、ワークフローが用いられる場合も、ワークフローを用いない通常の設定を含めて、各設定項目の総利用回数がカウント（積算）される。そして、例えば、付加表示用データＤ２は、各設定項目に対し、併用された設定項目につき、頻度を求めるため、併用された回数や、表示制御部１０の演算により得られた頻度の値を含む。例えば、図１５に示すように、表示制御部１０は、併用された回数を設定項目の総利用回数で除した値を頻度として求め、付加表示用データＤ２に含める。
【０１２０】
このような、各設定項目の併用回数や併用の頻度を用いて（付加表示用データＤ２を用いて）付加設定項目を定めて付加表示を行う場合、使用者は、付加表示設定画面９５のうち、下方のチェックボックスＣ２を押下してチェックを入れる。これにより、ワークフローに含まれる設定項目と併用されやすい設定項目が付加表示される。従って、使用者の設定の実情に合わせて付加設定項目を定めることができる。尚、チェックボックスＣ１とチェックボックスＣ２の両方にチェックを入れて選択することは可能である。
【０１２１】
そして、付加表示設定画面９５には、ＯＫキーＫ４３が設けられる。ＯＫキーＫ４３が設けられると、付加表示を行うか否か、付加表示の表示位置、付加表示を行う場合、どのような設定項目の設定画面９を表示させるかの設定がメモリ１８に記憶される。
【０１２２】
（ワークフローの表示制御）
次に、図１６に基づき、本発明の実施形態に係る操作パネル１でのワークフローの表示制御の一例を説明する。図１６は、本発明の実施形態に係る操作パネル１でのワークフローの表示制御の一例を説明するためのフローチャートである。
【０１２３】
まず、図１６におけるスタートは、ワークフローキー１７が押下され、呼出画面９Ｄでワークフローが選択され、表示制御部１０が、メモリ１８や、記憶装置８２からワークフローのデータを受け取り、表示制御部１０が液晶表示部１１に呼び出されたワークフローを液晶表示部１１に表示させようとする時点である。
【０１２４】
次に、表示制御部１０は、メモリ１８の記憶を確認し、付加表示を行う設定であるかを確認する（ステップ♯１）。具体的には、表示制御部１０は、付加表示設定画面９５で、有りキーＫ３８と無しキーＫ３９のいずれが押されたかを確認する。即ち、入力部（タッチパネル部１２等）は、表示部（液晶表示部１１）に付加表示を行わせるか否かの設定入力を受け付け、処理部（例えば、表示制御部１０）は、付加表示を行う設定がなされていると、付加表示を表示部に行わせる。
【０１２５】
もし、付加表示を行う設定であれば（ステップ♯１のＹｅｓ）、表示制御部１０は、メモリ１８の記憶を確認し、ワークフローで付加設定項目の設定画面９で表示すべき位置（順番）を確認する（ステップ♯２）。具体的には、表示制御部１０は、付加表示設定画面９５で、先頭キーＫ４０と、最後尾キーＫ４１と、関連設定項目後段キーのいずれが押されたかを確認する。即ち、入力部（タッチパネル部１２等）は、プログラム（ワークフロー）で順に表示される設定画面９のうち、どの順番の位置に付加設定項目の設定画面９を表示するかを定める入力を受け付け、処理部（例えば、表示制御部１０）は、入力された順番の位置に付加設定項目の付加表示を表示部（液晶表示部１１）に行わせる。次に、表示制御部１０は、呼び出されたワークフローに含まれる設定項目を確認する（ステップ♯３）。
【０１２６】
そして、表示制御部１０は、付加表示用データＤを読み出す（ステップ♯４）。例えば、表示制御部１０は、付加表示設定画面９５で、チェックボックスＣ１とチェックボックスＣ２のうち、チェックが入れられたチェックボックスＣに対応する付加表示用データＤをメモリ１８から読み出す。例えば、表示制御部１０は、付加表示設定画面９５で、チェックボックスＣ２のみにチェックが入れられ、チェックボックスＣ１にチェックが入れられていなければ、付加表示用データＤ２のみを読み出す。又、表示制御部１０は、付加表示設定画面９５で、チェックボックスＣ１とチェックボックスＣ２の両方にチェックが入れられていれば、付加表示用データＤ１と付加表示用データＤ２メモリ１８からを読み出す。
【０１２７】
そして、表示制御部１０は、読み出した付加表示用データＤに基づき、ワークフローに含まれる設定項目に対し、付加表示すべき設定項目（付加設定項目）があるかを確認し、付加設定項目を定める（ステップ♯５）。
【０１２８】
例えば、予め定められた対応関係に基づき設定項目を定める場合、表示制御部１０は、付加表示用データＤ１を用いて、ワークフローに含まれる設定項目に対し、付加表示すると対応づけられた設定項目があるかを確認し、付加設定項目を定める。又、設定項目の併用頻度に基づき設定項目を定める場合、表示制御部１０は、付加表示用データＤ２を用いて、併用頻度が所定値を越える設定項目を付加設定項目と定める。この所定値は任意に定めうる値である。例えば、設定項目が設定される際、２回に１回以上、併用される設定項目を付加設定項目と定める場合、所定値は０．５とされる。
【０１２９】
尚、付加表示用データＤ１と付加表示用データＤ２のいずれも用いて付加設定項目があるかを確認し、付加設定項目を定めるとき、表示制御部１０は、付加表示用データＤ１に基づき定められた付加設定項目と、付加表示用データＤ２に基づき定められた付加設定項目をまとめる。即ち、記憶部（メモリ１８、記憶装置８２）は、設定項目に対応づけて付加設定項目を予め定めたデータを、付加表示用データＤ１として記憶し、処理部（例えば、表示制御部１０）は、付加表示用データＤに定められ、プログラム（ワークフロー）に含まれる設定項目に対応づけられた付加設定項目の付加表示を表示部（液晶表示部１１）に行わせる。又、記憶部は、各設定項目の併用頻度を得るためのデータを付加表示用データＤとして記憶し、処理部は、データを参照し、プログラムに含まれる設定項目について、併用頻度が所定値を越える設定項目を付加設定項目と定め、定めた付加設定項目の付加表示を表示部に行わせる。
【０１３０】
ここで、ワークフローに含まれる設定項目に対し、対応づけられた付加設定項目が全く無い場合や、ワークフローに含まれる各設定項目に対し、併用頻度が所定値以上の関係にある設定項目が全く無い場合もある。そこで、表示制御部１０は、ワークフローについて付加表示すべき付加設定項目があるかを確認する（ステップ♯６）。
【０１３１】
もし、付加表示すべき付加設定項目が無ければ（ステップ♯６のＮｏ）、付加表示を行う必要はないので、表示制御部１０は、ワークフローに含まれる設定項目の各設定画面９を順番に表示させる（ステップ♯７）。
【０１３２】
一方、付加表示すべき付加設定項目があれば（ステップ♯６のＹｅｓ）、表示制御部１０は付加表示を行うと定めた付加設定項目が既にワークフローに含まれているかを確認する（ステップ♯８）。具体的には、表示制御部１０は、付加設定項目と、ワークフローに含まれる設定項目とを比較し、重複していないかを確認する。
【０１３３】
もし、重複していれば（ステップ♯８のＹｅｓ）、表示制御部１０は、重複する設定項目を表示すべき付加設定項目から除く（ステップ♯９）。即ち、処理部（例えば、表示制御部１０）は、呼び出されたプログラム（ワークフロー）に付加設定項目と定めた設定項目が既に含まれているとき、表示部（液晶表示部１１）に、既に含まれる付加設定項目の付加表示を行わせない。一方、重複していなければそのままステップ♯１０に移行する。
【０１３４】
そして、表示制御部１０は、ワークフローに含まれる設定項目の設定項目に加え、表示すべき付加設定項目の設定画面９を、所定の順番の位置で、液晶表示部１１に表示させる（ステップ♯１０）。即ち、表示入力装置（操作パネル１）は、実行可能な複数種の機能を設定項目として表示し、設定項目の設定画面９を表示する表示部（液晶表示部１１）と、予め複数の設定項目の中から選択され、登録された設定項目の組み合わせであり、呼び出すことにより予め選択、登録された設定項目ごとに設定画面９を順番に表示部に表示させるプログラム（ワークフロー）を記憶するとともに、プログラムに設定項目の設定画面９を付加して表示部に表示させる付加表示を行ううえで、どの設定項目の設定画面９を付加表示させるかを定めるための付加表示用データＤを記憶する記憶部（メモリ１８、記憶装置８２）と、設定項目の選択及び設定画面９に対する入力を受け付け、又、プログラムを作成し登録するとき、プログラムに含める設定項目を選択する入力を受け付け、登録されたプログラムの呼び出し入力を受け付ける入力部（タッチパネル部１２等）と、登録されたプログラムが呼び出されたとき、付加表示用データＤに基づき、付加表示する設定項目である付加設定項目を定め、付加設定項目の付加表示を表示部（液晶表示部１１）に行わせる処理部（例えば、表示制御部１０）を有する。
【０１３５】
一方、付加表示を行う設定でなければ（ステップ♯１のＮｏ）、表示制御部１０は、ワークフローに含まれる設定項目の設定項目を順番に表示させる（ステップ♯７）。そして、ステップ♯７により、ワークフローに基づく設定入力が行われる。その後、表示制御部１０は、設定確認一覧９４で実行開始キーＫ３５が押されたことをトリガとして、設定内容を本体制御部８に伝達し、本体制御部８は、伝達された設定内容に基づき、複合機１００内の各部を制御し、その結果、ジョブが実行される（ステップ♯１１）。そして、１つのワークフローにおける設定とジョブ実行が完了し、本制御は終了する（エンド）。
【０１３６】
このようにして、本発明によれば、表示部（液晶表示部１１）は、登録されたプログラム（ワークフロー）が呼び出されたとき、付加設定項目の付加表示を行う。これにより、プログラムに含まれる設定項目に関連する設定項目の設定画面９を自動的に付加することができる。言い換えると、使用者が意図するジョブの実行結果を得られるように、関連性が深く、必要かもしれない設定画面９を、自動的に付加して表示させることができる。従って、使用者が設定手順を熟知していなくても、簡易に設定漏れを防ぐことができ、使用者の意図するジョブの実行結果が得られやすくなる。その結果、プログラムの設定が行いやすくなり、表示入力装置の使いやすさ、便利さを向上させることができる。又、使用者の意図する結果となるように設定がなされるので、時間、資源、エネルギーの無駄を無くすことができる。
【０１３７】
又、表示部（液晶表示部１１）は、付加表示用データＤに定められ、プログラムに含まれる設定項目に対応づけられた付加設定項目の付加表示を行う。これにより、プログラムに含まれる設定項目に対し、予め、関連性が深いとして対応づけられた設定項目の設定画面９をプログラムに付加して自動的に表示させることができる。又、処理部（例えば、表示制御部１０）は、データを参照し、プログラムに含まれる設定項目について、併用頻度が所定値を越える設定項目を付加設定項目と定め、定めた付加設定項目の付加表示を表示部に行わせる。これにより、プログラムに含まれる設定項目に関し、併用されやすい設定項目の設定画面９をプログラムに付加して自動的に表示させることができる。
【０１３８】
又、表示部（液晶表示部１１）は、呼び出されたプログラム（ワークフロー）に付加設定項目と定めた設定項目が既に含まれているとき、既に含まれる付加設定項目の付加表示を行わない。これにより、呼び出したプログラムで、同じ設定画面９が重複して表示されることを防ぐことができる。従って、同じ設定項目に対する設定の繰り返しを防ぐことができ、入力の煩わしさを無くすことができる。又、表示部は、付加表示を行う設定がなされていると、付加表示を行う。これにより、使用者が必要と認める場合のみ付加表示が行われる。従って、使用者の意図に沿った表示を行うことができ、使用者にとっての使い勝手の良さを向上させることができる。
【０１３９】
又、表示部（液晶表示部１１）は、入力された順番の位置に付加設定項目の設定画面９を表示する。これにより、プログラム（ワークフロー）の設定画面９の表示順において、使用者の好きな位置に付加表示された設定画面９を表示させることができる。従って、使用者の意図に沿った表示を行うことができる。又、画像形成装置（例えば、複合機１００）は、本発明に係る表示入力装置（操作パネル１）を含む。これにより、画像形成装置での設定は、使用者の意図するジョブの実行結果を得やすいものとなり、プログラム（ワークフロー）の設定が行いやすいものとなる。従って、設定入力がしやすく、便利さを向上させた画像形成装置を提供することができる。
【０１４０】
次に、他の実施形態を説明する。上記の実施形態では、表示制御部１０が付加表示を行うべき付加設定項目があるか、及び付加設定項目の決定を行ったが、これらの処理は、本体制御部８が行って、本体制御部８が表示制御部１０に付加表示の指示を与えるようにしてもよい。このとき、本体制御部８は、操作パネル１の処理部としても機能する。
【０１４１】
又、付加表示用データＤ１、付加表示用データＤ２は、メモリ１８に記憶させる例を説明したが、本体側の記憶装置８２が、付加表示用データＤ１、付加表示用データＤ２を記憶してもよい。そして、記憶装置８２は、表示制御部１０や本体制御部８に付加表示用データＤ１、付加表示用データＤ２を与える。このとき、記憶装置８２は、操作パネル１の記憶部としても機能する。
【０１４２】
本発明の実施形態を説明したが、本発明の範囲はこれに限定されるものではなく、発明の主旨を逸脱しない範囲で種々の変更を加えて実施することができる。
【産業上の利用可能性】
【０１４３】
本発明は、操作パネル等の表示部と入力部を有する表示入力装置や、画像形成装置に利用可能である。
【符号の説明】
【０１４４】
１      操作パネル（表示入力装置）      １０    表示制御部（処理部）
１１    液晶表示部（表示部）            １２    タッチパネル部（入力部）
１７    ワークフローキー（入力部）      １８    メモリ（記憶部）
８２    記憶装置（記憶部）
９（９１，９２，９３，９４，９５）      設定画面
Ｄ（Ｄ１，Ｄ２）      付加表示用データ
１００  複合機（画像形成装置）
【図１】
0005377447.tif 000002
【図２】
0005377447.tif 000003
【図３】
0005377447.tif 000004
【図４】
0005377447.tif 000005
【図５】
0005377447.tif 000006
【図６】
0005377447.tif 000007
【図７】
0005377447.tif 000008
【図８】
0005377447.tif 000009
【図９】
0005377447.tif 000010
【図１０】
0005377447.tif 000011
【図１１】
0005377447.tif 000012
【図１２】
0005377447.tif 000013
【図１３】
0005377447.tif 000014
【図１４】
0005377447.tif 000015
【図１５】
0005377447.tif 000016
【図１６】
0005377447.tif 000017